(57)【要約】【課題】  ノイズ減衰装置及び順次走査変換装置を提供すること。【解決手段】  ノイズ減衰装置が、順次に入力される各々の画像に対して、過去の画像に一周期先立つ画像と現在の画像との間の動きベクトルを推定する動き予測部、動き予測部により推定された動きベクトルを過去の画像に一周期先立つ画像と現在の画像より時間的に先立つ他の２つの画像に適用して、動きベクトルが正確であるか否かを確認する動き確認部、動き確認部により正確性が確認された動きベクトルを利用して動きを補償する動き補償部、及び動き補償部により動きが補償された画像と入力される画像とを利用して、画像のノイズを除去するノイズ除去部を備える。これにより、ノイズ減衰装置は、ノイズが付加された画像に対して簡単な手順によりノイズを減衰させることができる。【選択図】  図４
2005160071.tif 000002
【特許請求の範囲】
【請求項１】
順に入力される各々の画像に対して、過去の画像に一周期先立つ画像と現在の画像との間の動きベクトルを推定する動き予測部と、
前記動き予測部により推定された前記動きベクトルを、前記過去の画像に一周期先立つ画像と前記現在の画像より時間的に先立つ他の２つの画像とに適用して、前記動きベクトルが正確であるか否かを確認する動き確認部と、
前記動き確認部により正確性が確認された前記動きベクトルを利用することにより、動きを補償する動き補償部と、
前記動き補償部により動きが補償された画像と入力される画像とを利用することにより、画像のノイズを除去するノイズ除去部と
を含むことを特徴とするノイズ減衰装置。
【請求項２】
前記動き予測部が、
推定半径内の全ベクトルに対してブロック単位のＳＡＤまたはそのＳＡＤに相応する費用関数を計算し、計算された前記費用関数に基づいて前記動きベクトルを推定することを特徴とする請求項１に記載のノイズ減衰装置。
【請求項３】
前記動き確認部が、
前記過去の画像に一周期先立つ画像と前記現在の画像より時間的に先立つ他の２つの画像とに対して、ブロック単位のＳＡＤまたはそのＳＡＤに相応する費用関数を計算し、計算された前記費用関数に基づいて前記動きベクトルが正確であるか否かを確認することを特徴とする請求項１に記載のノイズ減衰装置。
【請求項４】
前記動き確認部が、
計算された前記ＳＡＤまたはそのＳＡＤに相応する費用関数と、前記推定された動きベクトル以外の複数の動きベクトルに該当するＳＡＤまたはそのＳＡＤに相応する費用関数とを相互比較することにより、前記動きベクトルが正確であるか否かを確認することを特徴とする請求項１に記載のノイズ減衰装置。
【請求項５】
前記動き補償部が、
計算された前記ＳＡＤまたはそのＳＡＤに相応する費用関数の値が、前記推定された動きベクトル以外の複数の動きベクトルに該当するブロック単位のＳＡＤまたはそのＳＡＤに相応する費用関数値のうちのいずれかより大きい場合、前記推定された動きベクトル以外の複数の動きベクトルのうちのいずれかを利用することにより、動きを補償することを特徴とする請求項４に記載のノイズ減衰装置。
【請求項６】
前記ノイズ除去部が、
前記動き確認部により確認された前記動きベクトルを利用して補償された前記画像と入力される前記画像の加重値とを合せることにより、ノイズが除去された画像を生成することを特徴とする請求項５に記載のノイズ減衰装置。
【請求項７】
順に入力される各々の画像に対して、過去の画像に一周期先立つ画像と現在の画像との間の動きベクトルを推定する動き予測部と、
前記動き予測部により推定された前記動きベクトルを、前記過去の画像に一周期先立つ画像と前記現在の画像より時間的に先立つ他の２つの画像とに適用することにより、前記動きベクトルが正確であるか否かを確認する動き確認部と、
前記動き確認部により正確性が確認された前記動きベクトルを利用することにより、動きを補償する動き補償部と、
前記動き補償部により動きが補償された画像と入力される画像とを利用することにより、飛び越し走査方式を順次走査方式に変換する順次走査変換(ｄｅ-ｉｎｔｅｒｌａｃｉｎｇ)部と
を含むことを特徴とする順次走査変換装置。
【請求項８】
前記動き予測部が、
推定半径内の全ベクトルに対してブロック単位のＳＡＤまたはそのＳＡＤに相応する費用関数を計算し、計算された前記費用関数に基づいて前記動きベクトルを推定することを特徴とする請求項７に記載の順次走査変換装置。
【請求項９】
前記動き確認部が、
前記過去の画像に一周期先立つ画像と前記現在の画像より時間的に先立つ他の２つの画像とに対して、ブロック単位のＳＡＤまたはそのＳＡＤに相応する費用関数を計算し、計算された前記費用関数に基づいて前記動きベクトルが正確であるか否かを確認することを特徴とする請求項７に記載の順次走査変換装置。
【請求項１０】
前記動き確認部が、
計算された前記ＳＡＤまたはそのＳＡＤに相応する費用関数と、前記推定された動きベクトル以外の複数の動きベクトルに該当するＳＡＤまたはそのＳＡＤに相応する費用関数とを相互比較することにより、前記動きベクトルが正確であるか否かを確認することを特徴とする請求項７に記載の順次走査変換装置。
【請求項１１】
前記動き補償部が、
計算された前記ＳＡＤまたはそのＳＡＤに相応する費用関数の値が前記推定された動きベクトル以外の複数の動きベクトルに該当するブロック単位のＳＡＤまたはそのＳＡＤに相応する費用関数値のうちのいずれかより大きい場合、前記推定された動きベクトル以外の複数の動きベクトルのうちのいずれかを利用することにより、動きを補償することを特徴とする請求項１０に記載の順次走査変換装置。
【請求項１２】
前記順次走査変換部が、
前記動き確認部により確認された前記動きベクトルを利用して、補償された前記画像と入力される前記画像の加重値とを合せることにより、順次走査変換された画像を生成することを特徴とする請求項１１に記載の順次走査変換装置。
【発明の詳細な説明】
【技術分野】
【０００１】
本発明は、ノイズ減衰装置及び順次走査変換装置(ｄｅ−ｉｎｔｅｒｌａｃｉｎｇ  ａｐｐａｒａｔｕｓ)に関し、さらに詳細には画像に付加されたノイズを減衰させるだけでなく、ノイズが激しい画像に対しても順次走査変換の性能を向上させることができるノイズ減衰装置及び順次走査変換装置に関する。
【背景技術】
【０００２】
動画の走査方式は、大きく順次(Ｐｒｏｇｒｅｓｓｉｖｅ)走査方式と飛び越し(Interlaced)走査方式の２種類がある。理解のために、図１Ａに３０Ｈｚ飛び越し走査(フィールド周波数６０Ｈｚ)と図１Ｂに３０Ｈｚ順次走査の場合を示した。
【０００３】
順次走査は、１つのフレームの画像が全て同じ時間にサンプリングされたものからなるのに対し、飛び越し走査は、１つのフレームの画像が相互に異なる時間にサンプリングされたものが集まってなり、各々のサンプルは、１ラインごとに交互に繰り返してなる。すなわち、飛び越し走査の画像において、１枚のフレームは通常２枚のフィールド画像から構成され、相互に異なる時間にサンプリングされたこの画像は、各々トップフィールド(ｔｏｐ ｆｉｅｌｄ)／ボトムフィールド(ｂｏｔｔｏｍ ｆｉｅｌｄ)、奇数フィールド(ｏｄｄ ｆｉｅｌｄ)／偶数フィールド(ｅｖｅｎ ｆｉｅｌｄ)、上位フィールド(ｕｐｐｅｒ ｆｉｅｌｄ)／下位フィールド(ｌｏｗｅｒ ｆｉｅｌｄ)、第１フィールド／第２フィールドなどと呼ばれる。
【０００４】
ＭＰＥＧ(Ｍｏｖｉｎｇ Ｐｉｃｔｕｒｅ Ｅｘｐｅｒｔｓ Ｇｒｏｕｐ)では画像を「ピクチャー(一枚の画面)」という単位で取扱うが、ＭＰＥＧ-２ではこのピクチャーにフレームを割り当てることもでき、フィールドを割り当てることもできる。すなわち、ピクチャーにフレームが割り当てられた場合、この割り当て方法は「フレーム構造」と言い、ピクチャーにフィールドが割り当てられた場合、この割り当て方法は「フィールド構造」と言う。
【０００５】
映画は、１つ１つの画面を瞬間的にフィルムに格納して画面単位で一時にスクリーンに投射する順次走査方式を用いる。これに比べて、ＴＶは、制限された走査線を利用して、さらに効果的に動画を表すために、１つの画面(フレーム)を再度２つのフィールドに分けて交互に走査する飛び越し走査方法を用いる。この場合、米国、日本、韓国などで採択しているＮＴＳＣ(Ｎａｔｉｏｎａｌ  Ｔｅｌｅｖｉｓｉｏｎ  Ｓｙｓｔｅｍ  Ｃｏｍｍｉｔｔｅｅ)カラーＴＶ方式では、画面当たりの５２５ラインの走査線に秒当たりの３０枚のフレームを、ヨーロッパなどで採択しているＰＡＬ(Ｐｈａｓｅ  Ａｌｔｅｒｎａｔｉｏｎ  Ｌｉｎｅ)方式やＳＥＣＡＭ(Ｓｅｑｕｅｎｔｉａｌ  Ｃｏｕｌｅｕｒ  ａ  Ｍｅｍｏｉｒｅ)方式では、６２５ラインに秒当たりの２５枚のフレームを伝送するので、ＮＴＳＣ方式のＴＶは、秒当たりの６０フィールド、ＰＡＬやＳＥＣＡＭ方式は、秒当たりの５０フィールドの画像を処理するようになる。
【０００６】
順次走査方式を用いる画像ディスプレイ装置が増えると共に、互いに異なる走査方式を用いる装置間のデータ交換の必要性が増加するにしたがい、飛び越し走査方式を順次走査方式に変換する必要性が増加する。このような走査フォーマット変換を順次走査変換(ｄｅ-ｉｎｔｅｒｌａｃｉｎｇ)と言い、順次走査変換方式は、例えば、空中波放送であるテレビ信号をコンピュータで視聴する場合などに用いられる。
【０００７】
図２は、従来の技術に係る順次走査変換装置を概略的に示した図面である。図２に示しているように、順次走査変換装置は、メモリ２１０、ＭＥ／ＭＣ(Ｍｏｔｉｏｎ  Ｅｓｔｉｍａｔｉｏｎ／Ｍｏｔｉｏｎ  Ｃｏｍｐｅｎｓａｔｉｏｎ)部２２０、加重値計算部２３０、空間軸遂行部２４０、及び加重平均部２５０を備える。
【０００８】
メモリ２１０は、入力される画像に対して現在のフィールドｆ(ｋ)と以前のフィールドｆ(ｋ-１)を格納する。ＭＥ／ＭＣ部２２０は、メモリ２１０に格納された現在のフィールドｆ(ｋ)と以前のフィールドｆ(ｋ-１)とを利用して、動きベクトルｖを算出する。すなわち、ＭＥ／ＭＣ部２２０は、画像の前後フィールドを利用して動きを予測し、その動きの存在有無を決定する。また、ＭＥ／ＭＣ部２２０は、現在のフィールドｆ(ｋ)、以前のフィールドｆ(ｋ-１)、及び算出された動きベクトルｖを利用して、動き補償された補償フィールドｆｍｃ(ｋ)を算出する。
【０００９】
加重値計算部２３０は、現在のフィールドｆ(ｋ)、及び以前のフィールドｆ(ｋ-１)を利用して、動き適応のための加重値ｗを算出する。加重値計算部２３０により算出された加重値は、加重平均部２５０に伝送される。
【００１０】
空間軸遂行部２４０は、空間軸順次走査変換を行うための方法により、現在のフィールドｆ(ｋ)を利用して空間軸順次走査変換を行なうことによって、順次走査画像ｆｓｐ(ｋ)を生成する。すなわち、順次走査変換方法には、動き情報を利用する方法と、動き情報を利用しない方法があり、空間軸遂行部２４０は、動き情報を利用せずに順次走査変換を行う。空間軸順次走査変換方法には、ライン平均(ａｖｅｒａｇｉｎｇ)、加重メディアンフィルタリング(ｗｅｉｇｈｔｅｄ  ｍｅｄｉａｎ  ｆｉｌｔｅｒｎｇ)、ＥＬＡ(Ｅｄｇｅ-ｂａｓｅｄ  Ｌｉｎｇ  Ａｖｅｒａｇｉｎｇ)などの方法がある。
【００１１】
加重平均部２５０は、ＭＥ／ＭＣ部２２０により算出された補償フィールドｆｍｃ(ｋ)、加重値計算部２３０により算出された加重値ｗ、及び空間軸遂行部２４０により生成された順次走査画像ｆｓｐ(ｋ)を利用して、時間軸上の順次走査変換を行い、行われた時間軸上の順次走査変換により順次走査画像ｇ(ｋ)を生成する。
【００１２】
一方、従来の技術に係る順次走査変換装置は、順次走査変換装置が備えられたディスプレイに添加されるノイズの影響を減衰させるために、ノイズ減衰装置を備える。従来の技術に係るノイズ減衰装置は、図３に示したようである。図３に示しているように、メモリ３１０、ＭＥ／ＭＣ部３２０、加重値計算部３３０、及び加重平均部３４０を備える。
【００１３】
メモリ３１０は、入力される画像に対して以前の画像ｆ(ｋ-１)を含む順次走査画像ｇ(ｋ-１）と現在のフィールドｆ(ｋ)とを格納する。ＭＥ／ＭＣ部３２０は、メモリ３１０に格納された現在のフィールドｆ(ｋ)と以前のフィールドｆ(ｋ-１)を利用して、動きベクトルｖを算出する。すなわち、ＭＥ／ＭＣ部３２０は、画像の前後フィールドを利用して動きを予測し、その動きの存在有無を決定する。また、ＭＥ／ＭＣ部３２０は、現在のフィールドｆ(ｋ)、以前のフィールドｆ(ｋ-１)、及び算出された動きベクトルｖを利用して、動き補償された補償フィールドｆｍｃ(ｋ)を算出する。
【００１４】
加重値計算部３３０は、現在のフィールドｆ(ｋ)、及び以前のフィールドｆ(ｋ-１)を利用して、動き適応のための加重値ｗを算出する。加重値計算部３３０により算出された加重値は、加重平均部３４０に伝送される。
【００１５】
加重平均部３４０は、ＭＥ／ＭＣ部３２０により算出された補償フィールドｆｍｃ(ｋ)、及び加重値計算部３３０により算出された加重値ｗを利用してノイズ減少を行い、行われた動作によりノイズが減衰された画像ｆ(ｋ)を生成する。
【００１６】
ところが、上述したような、従来の技術に係る順次走査変換装置及びノイズ減衰装置は、動き予測が常にノイズが添加されている画像ｆ(ｋ)を利用してなされるため、ノイズの影響により誤った動きベクトルｖを算出する可能性が高い。
【００１７】
これにより、誤って算出された動きベクトルｖを利用する順次走査変換及びノイズ減衰の性能は、その品質が低下するという問題点がある。
【発明の開示】
【発明が解決しようとする課題】
【００１８】
本発明は、上述したような問題点を解決するためになされたもので、その目的は、ノイズが激しい画像からも正確な動きベクトルを算出し、これを利用するノイズの減衰及び順次走査変換の性能を向上させることである。
【課題を解決するための手段】
【００１９】
上記の目的を達成するための本発明のノイズ減衰装置によれば、順に入力される各々の画像に対して、過去の画像に一周期先立つ画像と現在の画像との間の動きベクトルを推定する動き予測部と、前記動き予測部により推定された前記動きベクトルを、前記過去の画像に一周期先立つ画像と前記現在の画像より時間的に先立つ他の２つの画像とに適用して、前記動きベクトルが正確であるか否かを確認する動き確認部と、前記動き確認部により正確性が確認された前記動きベクトルを利用することにより、動きを補償する動き補償部と、前記動き補償部により動きが補償された画像と入力される画像とを利用することにより、画像のノイズを除去するノイズ除去部とを含む。
【００２０】
ここで、前記動き予測部が、推定半径内の全ベクトルに対してブロック単位のＳＡＤまたはそのＳＡＤに相応する費用関数を計算し、計算された前記費用関数に基づいて前記動きベクトルを推定することが好ましい。
【００２１】
また、前記動き確認部が、前記過去の画像に一周期先立つ画像と前記現在の画像より時間的に先立つ他の２つの画像とに対して、ブロック単位のＳＡＤまたはそのＳＡＤに相応する費用関数を計算し、計算された前記費用関数に基づいて前記動きベクトルが正確であるか否かを確認することが好ましい。
【００２２】
また、前記動き確認部が、計算された前記ＳＡＤまたはそのＳＡＤに相応する費用関数と、前記推定された動きベクトル以外の複数の動きベクトルに該当するＳＡＤまたはそのＳＡＤに相応する費用関数とを相互比較することにより、前記動きベクトルが正確であるか否かを確認することが好ましい。
【００２３】
また、前記動き補償部が、計算された前記ＳＡＤまたはそのＳＡＤに相応する費用関数の値が、前記推定された動きベクトル以外の複数の動きベクトルに該当するブロック単位のＳＡＤまたはそのＳＡＤに相応する費用関数値のうちのいずれかより大きい場合、前記推定された動きベクトル以外の複数の動きベクトルのうちのいずれかを利用することにより、動きを補償することが好ましい。
【００２４】
また、前記ノイズ除去部が、前記動き確認部により確認された前記動きベクトルを利用して、補償された前記画像の加重値と入力される前記画像の加重値とを合せることにより、ノイズが除去された画像を生成することが好ましい。
【００２５】
また、本発明の順次走査変換装置によれば、順に入力される各々の画像に対して、過去の画像に一周期先立つ画像と現在の画像との間の動きベクトルを推定する動き予測部と、前記動き予測部により推定された前記動きベクトルを、前記過去の画像に一周期先立つ画像と前記現在の画像より時間的に先立つ他の２つの画像とに適用することにより、前記動きベクトルが正確であるか否かを確認する動き確認部と、前記動き確認部により正確性が確認された前記動きベクトルを利用することにより、動きを補償する動き補償部と、前記動き補償部により動きが補償された画像と入力される画像とを利用することにより、飛び越し走査方式を順次走査方式に変換する順次走査変換(ｄｅ-ｉｎｔｅｒｌａｃｉｎｇ)部とを含む。
【００２６】
好ましくは、前記動き予測部が、推定半径内の全ベクトルに対してブロック単位のＳＡＤまたはそのＳＡＤに相応する費用関数を計算し、計算された前記費用関数に基づいて前記動きベクトルを推定する。
【００２７】
また、前記動き確認部が、前記過去の画像に一周期先立つ画像と前記現在の画像より時間的に先立つ他の２つの画像とに対して、ブロック単位のＳＡＤまたはそのＳＡＤに相応する費用関数を計算し、計算された前記費用関数に基づいて前記動きベクトルが正確であるか否かを確認することが好ましい。
【００２８】
また、前記順次走査変換装置の前記動き確認部が、計算された前記ＳＡＤまたはそのＳＡＤに相応する費用関数と、前記推定された動きベクトル以外の複数の動きベクトルに該当するＳＡＤまたはそのＳＡＤに相応する費用関数とを相互比較することにより、前記動きベクトルが正確であるか否かを確認することが好ましい。
【００２９】
また、前記動き補償部が、計算された前記ＳＡＤまたはそのＳＡＤに相応する費用関数の値が前記推定された動きベクトル以外の複数の動きベクトルに該当するブロック単位のＳＡＤまたはそのＳＡＤに相応する費用関数値のうちのいずれかより大きい場合、前記推定された動きベクトル以外の複数の動きベクトルのうちのいずれかを利用することにより、動きを補償することが好ましい。
【００３０】
また、前記順次走査変換部が、前記動き確認部により確認された前記動きベクトルを利用して、補償された前記画像の加重値と入力される前記画像の加重値とを合せることにより、順次走査変換された画像を生成することが好ましい。
【００３１】
これにより、本発明に係るノイズ減衰装置及び順次走査変換装置は、ノイズが激しい画像からも正確な動きベクトルを算出し、これを利用するノイズの減衰及び順次走査変換の性能を向上させることができるようになる。
【発明の効果】
【００３２】
本発明によれば、ノイズ減少装置は、入力される画像に対して簡単な手順によりノイズを減衰させることができ、順次走査変換装置は、ノイズが付加された画像に対しても正確な順次走査変換を行うことができるようになる。
【発明を実施するための最良の形態】
【００３３】
以下、添付された図面を参照して、本発明をさらに詳細に説明する。
図４は、本発明に係るノイズ減衰装置及び順次走査変換装置を概略的に示すブロック図である。図４に示しているように、ノイズ減衰装置は、メモリ４１０、動き予測部４２０、動き確認部４３０、及びノイズ処理部４４０を備える。ここで、ノイズ処理部４４０は、動き補償部４４１、加重値計算部４４３、及びノイズ除去部４４５を備える。
【００３４】
メモリ４１０は、入力される画像に対して現在のフィールドｆ(ｋ)、未来のフィールドｆ(ｋ+１)、過去のフィールドｆ(ｋ-１)、及び過去以前の画像ｙ(ｋ-２)を備える。ここで、過去以前の画像ｙ(ｋ-２）は、画像の伝送または処理過程でノイズが付加された画像であって、次の（１）式の通り、ガウスノイズによりモデリングされる。
【００３５】
ｙ = ｆ + ｎ      ・・・（１）
【００３６】
ここで、ｙはノイズが観察された画像であり、ｎはゼロ平均と変化率σｎ2 を有するガウスノイズである。
【００３７】
動き予測部４２０は、順に入力される各々の画像に対して、過去の画像に一周期先立つ画像と現在の画像との間の動きベクトルを推定する。この場合、過去の画像に一周期先立つ画像は、画像の伝送または処理過程でノイズが付加された画像である。また、動き予測部４２０は、推定半径以内の全ベクトルに対してブロック単位のＳＡＤまたはそのＳＡＤに相応する費用関数を計算し、計算された費用関数に基づいて動きベクトルを推定する。
【００３８】
動き確認部４３０は、動き予測部４２０により推定された動きベクトルを過去の画像に一周期先立つ画像と現在の画像より時間的に先立つ他の２つの画像とに適用して、前記動きベクトルが正確であるか否かを確認する。これは、現在の画像と一周期先立つ画像とに対して推定された動きベクトルは、ノイズが激しい画像に対してその正確度が低下する場合があるので、誤った動きベクトルを推定することを防止するためのものである。この場合、動きは一定の速度を有し、持続することと仮定する。
【００３９】
各々の[ｂｓ、ｂｓ]サイズのマクロブロックに対して動きベクトルを推定すると、与えられた動きベクトルｖ=[ｖｉ、ｖｊ]ｔに対応した
【００４０】
【数１】
2005160071.tif 000003
【００４１】
及びｙ(ｋ-２)間の(ｍ、ｎ)番目のマクロブロックのＳＡＤは、次の（２）式の通り定義することができる。
【００４２】
【数２】
2005160071.tif 000004
【００４３】
【数３】
2005160071.tif 000005
【００４４】
は、オリジナルの画像に無限インパルス応答(ＩＩＲ)(Ｉｎｆｉｎｉｔｅ  Ｉｍｐｕｌｓｅ  Ｒｅｓｐｏｎｓｅ)フィルタが適用されることを意味する。
【００４５】
ここで、Ｂ(ｍ、ｎ、ｋ）は、ｋ番目の時間軸上で(ｍ、ｎ)番目のマクロブロックにおける与えられたピクセル座標のセットを示す。
【００４６】
推定された動きベクトルを
【００４７】
【数４】
2005160071.tif 000006
【００４８】
とすれば、
【００４９】
【数５】
2005160071.tif 000007
【００５０】
は次の（３）式のように表すことができる。
【００５１】
【数６】
2005160071.tif 000008
【００５２】
ここで、Ｓは探索領域におけるベクトルのセットを示す。このような方法により、動き確認部４３０は、過去の画像に一周期先立つ画像と現在の画像より時間的に先立つ他の２つの画像に対して、ブロック単位のＳＡＤまたはそのＳＡＤに相応する費用関数を計算し、計算された費用関数に基づいて、動きベクトルが正確であるか否かを確認する。または、動き確認部４３０は、計算されたＳＡＤまたはこれに相応する費用関数と、推定された動きベクトル以外の複数の動きベクトルに該当するＳＡＤまたはこれに相応する費用関数とを相互比較することにより、動きベクトルが正確であるか否かを確認する。
【００５３】
ノイズ処理部４４０の動き補償部４４１は、動き確認部４３０により正確性が確認された動きベクトルを利用して動きを補償する。この場合、動き補償部４４１は、計算されたＳＡＤまたはこれに相応する費用関数の値が推定された動きベクトル以外の複数の動きベクトルに該当するブロック単位のＳＡＤまたはこれに相応する費用関数値のうちの少なくとも１つより大きい場合、推定された動きベクトル以外の複数の動きベクトルのうちのいずれかを利用して動きを補償することが好ましい。
【００５４】
加重値計算部４４３は、未来のフィールドｆ(ｋ+１)、現在のフィールドｆ(ｋ)、及び以前のフィールドｆ(ｋ-１)を利用して、動き適応のための加重値ｗを算出する。加重値計算部４４３により算出された加重値は、ノイズ除去部４４５に伝送される。
【００５５】
ノイズ除去部４４５は、動き補償部４４１により動きが補償された画像と入力される画像を利用して画像のノイズを除去する。この場合、ノイズ除去部４４５は、動き確認部４３０により確認された動きベクトルを利用して、補償された画像の加重値と入力される画像の加重値とを合せて、ノイズが除去された画像を生成する。ノイズが付加された画像ｙ(k-２)に対し、ノイズが除去された画像はｆ(ｋ-２）で付記した。
【００５６】
これにより、ノイズ減衰装置は、ノイズが付加された画像に対して簡単な手順により、ノイズを減衰させることができるようになる。
【００５７】
一方、順次走査変換装置は、メモリ４１０、動き予測部４２０、動き確認部４３０、及び順次走査変換処理部４５０を備える。ここで、順次走査変換処理部４５０は、動き補償部４５１、加重値計算部４５３、及び順次走査変換部４５５を備える。ここで、メモリ４１０、動き予測部４２０、動き確認部４３０、動き補償部４５１、及び加重値計算部４５３は、ノイズ減衰装置の各々の構成要素と同じであるので、１つの図面に示し、その詳細な説明は省略する。
【００５８】
順次走査変換部４５５は、動き確認部４３０により確認された動きベクトルを利用して、補償された画像の加重値と入力される画像の加重値とを合せて順次走査変換された画像を生成する。飛び越し走査方式の画像ｆ(ｋ)に対し、順次走査変換された順次走査方式の画像はｇ(ｋ）で付記した。
【００５９】
これにより、順次走査変換装置は、ノイズが付加された画像に対しても正確な順次走査変換を行うようになる。
【図面の簡単な説明】
【００６０】
【図１Ａ】順次走査方式を説明するための図である。
【図１Ｂ】飛び越し走査方式を説明するための図である。
【図２】従来の技術に係る順次走査変換装置を概略的に示す図面である。
【図３】従来の技術に係るノイズ減衰装置を概略的に示す図面である。
【図４】本発明に係るノイズ減衰装置及び順次走査変換装置を概略的に示すブロック図である。
【符号の説明】
【００６１】
４１０      メモリ
４２０      動き予測部
４３０      動き確認部
４４０      ノイズ処理部
４４１、４５１      動き補償部
４４３、４５３      加重値計算部
４４５      ノイズ除去部
４５５      順次走査変換部
【図１Ａ】
2005160071.tif 000009
【図１Ｂ】
2005160071.tif 000010
【図２】
2005160071.tif 000011
【図３】
2005160071.tif 000012
【図４】
2005160071.tif 000013